(57)【特許請求の範囲】
【請求項１】
投入された金額に関する金額情報を表示する金額表示機を備え、機内に収納された商品を販売する自動販売機において、
商品が売り切れ状態にある場合にオン状態となる一方、売り切れ状態が解除された場合にオフ状態となって、商品が売り切れ状態にあるか否かを検出する売切検出手段と、
前記商品の販売日を示す販売日付を前記金額表示機に表示させるものであり、現在時刻が午前零時を超えた場合であって、前記売切検出手段による対象となる商品の検出結果がオン状態からオフ状態に切り替わったときに、該商品の販売日付を更新して前記金額表示機に表示させる表示制御手段と
を備えたことを特徴とする自動販売機。
【請求項２】
前記表示制御手段は、待機状態にある場合には、商品の販売日付を前記金額表示機に表示させる一方、金銭の投入、あるいは電子マネーによる購入操作が行われて販売状態にある場合には、前記金額表示機が前記金額情報を表示することを許容することを特徴とする請求項１に記載の自動販売機。
【請求項３】
現在時刻が午前零時を超えた場合であって、前記売切検出手段による対象となる商品の検出結果がオン状態からオフ状態に切り替わったときに、該商品の売り上げを集計する売上集計手段を備えたことを特徴とする請求項１又は請求項２に記載の自動販売機。
【発明の詳細な説明】
【技術分野】
【０００１】
本発明は、自動販売機に関し、より詳細には、投入された金額に関する金額情報を表示する金額表示機を備え、機内に収納された商品を販売する自動販売機に関する。
【背景技術】
【０００２】
従来、投入された金額に関する金額情報を表示する金額表示機を備え、機内に収納された商品を販売する自動販売機として次のようなものが知られている。例えば、金額が投入される前の待機状態に、現在時刻を金額表示機に表示させるようにした自動販売機である（例えば、特許文献１参照）。
【０００３】
【特許文献１】特開昭５７−１０６０７４号公報
【発明の開示】
【発明が解決しようとする課題】
【０００４】
ところで、近年、自動販売機で販売される商品も多様化が進み、新聞、雑誌等のように商品の販売日付の表示を要するものを販売対象とする自動販売機も提案されている。
【０００５】
しかしながら、上述したような自動販売機では、待機状態において金額表示機に現在時刻を表示させているために、販売日付の表示を要する商品を販売対象とするには、販売日付を表示するための専用の表示機を必要とし、コストの増大化を招来する虞れがあった。
【０００６】
本発明は、上記実情に鑑みて、コストの増大化を招来することなく、商品の販売に関連する販売関連日付を良好に表示することができる自動販売機を提供することを目的とする。
【課題を解決するための手段】
【０００７】
上記目的を達成するため、本発明の請求項１に係る自動販売機は、投入された金額に関する金額情報を表示する金額表示機を備え、機内に収納された商品を販売する自動販売機において、商品が売り切れ状態にある場合にオン状態となる一方、売り切れ状態が解除された場合にオフ状態となって、商品が売り切れ状態にあるか否かを検出する売切検出手段と、前記商品の販売日を示す販売日付を前記金額表示機に表示させるものであり、現在時刻が午前零時を超えた場合であって、前記売切検出手段による対象となる商品の検出結果がオン状態からオフ状態に切り替わったときに、該商品の販売日付を更新して前記金額表示機に表示させる表示制御手段とを備えたことを特徴とする。
【０００８】
また、本発明の請求項２に係る自動販売機は、上述した請求項１において、前記表示制御手段は、待機状態にある場合には、商品の販売日付を前記金額表示機に表示させる一方、金銭の投入、あるいは電子マネーによる購入操作が行われて販売状態にある場合には、前記金額表示機が前記金額情報を表示することを許容することを特徴とする。
【０００９】
また、本発明の請求項３に係る自動販売機は、上述した請求項１又は請求項２において、現在時刻が午前零時を超えた場合であって、前記売切検出手段による対象となる商品の検出結果がオン状態からオフ状態に切り替わったときに、該商品の売り上げを集計する売上集計手段を備えたことを特徴とする。
【発明の効果】
【００１０】
本発明によれば、表示制御手段が商品の販売に関連する販売関連日付を金額表示機に表示させるので、既存の自動販売機を改良することにより用いることができ、専用の表示機等を必要としないので、コストが増大する虞れがない。従って、コストの増大化を招来することなく、商品の販売関連日付を良好に表示することができるという効果を奏する。
【発明を実施するための最良の形態】
【００１１】
以下に添付図面を参照して、本発明に係る自動販売機の好適な実施の形態について詳細に説明する。
【００１２】
図１は、本発明の実施の形態である自動販売機を簡単に示す斜視図である。ここで例示する自動販売機は、例えば新聞（朝刊及び夕刊）を販売するものであり、本体キャビネット１及び前扉２を備えている。尚、本実施の形態では、説明の便宜上、１種類の新聞を販売商品とする自動販売機を示しているが、本発明では、複数種類の新聞を販売対象とする自動販売機でも構わないし、雑誌やＣＤ等の記録媒体等を販売対象とする自動販売機であっても構わない。
【００１３】
本体キャビネット１は、鋼材を適宜組み合わせることにより前面が開口した箱状に構成したものである。図には明示しないが、本体キャビネット１の内部には、販売対象となる商品（新聞）が所定の収納機構（コラム）に収納されている。
【００１４】
前扉２は、本体キャビネット１の前面開口を開閉するように本体キャビネット１の一側部に配設したもので、閉動作させた場合に本体キャビネット１の前面開口を完全に閉塞することが可能である。
【００１５】
前扉２の前面には、表示部３、硬貨投入口４、紙幣挿入口５、硬貨返却口６、商品選択ボタン７、商品取出口８及び金額表示機９が設けてある。硬貨投入口４は、硬貨を投入するための開口であり、紙幣挿入口５は、紙幣を挿入するための開口である。商品選択ボタン７は、商品を選択するためのものである。商品取出口８は、商品を取り出すための開口である。
【００１６】
金額表示機９は、図２に示すように、硬貨投入口４から投入され、あるいは紙幣挿入口５から挿入され、後述する金銭処理機１０にて真偽が鑑別されて金銭処理された合計の金銭を表示するものである。
【００１７】
図３は、図１に示した自動販売機の制御系を示すブロック図である。この図３に示すように、上記自動販売機は、自販機制御部１１、時計部１２、売切検出スイッチ（売切検出手段）１３、表示制御部（表示制御手段）２０を備えている。
【００１８】
自販機制御部１１は、商品を販売する際の自動販売機各部の動作を統括的に制御するものであり、本実施の形態に特徴部分として、金銭処理機１０において投入、あるいは挿入された金銭の鑑別処理が行われた後の合計金額に関する情報を金額表示機９に表示させるものである。また、金銭処理機１０から合計金額に関する情報が与えられた場合に、表示制御部２０に対して販売信号を与える一方、図示せぬ商品搬出機構により、本体キャビネット１の内部に収納される商品の搬出が終了した場合に、表示制御部２０に対して販売完了信号を与えるものである。
【００１９】
時計部１２は、時間を計測し、現在時刻を示すものである。売切検出スイッチ１３は、コラムに設けてあり、コラムに収納される商品が売り切れ状態にあるか否かを検出するものである。より詳細には、コラムの商品が売り切れ状態にある場合にオン状態となる一方、売り切れ状態が解除された場合にオフ状態となるものである。
【００２０】
表示制御部２０は、予め与えられたプログラムに従って処理を行い、自販機制御部１１、時計部１２、売切検出スイッチ１３からの入力情報に応じて待機状態における金額表示部３の表示制御を統括的に制御するものである。この表示制御部２０は、表示処理部２１と更新処理部２２とを備えている。
【００２１】
表示処理部２１は、自販機制御部１１から販売完了信号が与えられてから販売信号が与えられるまでの間の待機状態において、メモリ１４に予め記憶された商品の販売日付、後述する更新処理部２２により更新処理された販売日付を金額表示機９に表示させるものである。
【００２２】
ここで、本実施の形態では、商品の販売に関連する販売関連日付の一例として、商品の販売日を示す販売日付を適用している。
【００２３】
更新処理部２２は、表示処理部２１を通じて金額表示機９に表示されている商品の販売日付を更新するものである。更新後の商品の販売日付は、メモリ１４に記憶される。
【００２４】
以上の構成を有する自動販売機においては、自販機制御部１１から販売完了信号が与えられてから次の販売信号が与えられるまでの間は、待機状態になる。この待機状態において、表示制御部２０は、表示処理部２１を通じて金額表示機９にメモリ１４に記憶される商品の販売日付（例えば１２月２３日）を示す「１２−２３」を表示させる。
【００２５】
その後、自販機制御部１１から販売信号が与えられた場合には、販売状態になり、金額表示機９は、自販機制御部１１から与えられた指令に基づいて金額情報を表示することになる。つまり、表示制御部２０は、販売状態においては、金額表示機９が金額情報を表示することを許容している。
【００２６】
図４は、商品の販売日付の更新処理の処理内容を示すフローチャートである。以下、この図を参照しながら自動販売機の動作について説明する。
【００２７】
更新処理における表示制御部２０は、時計部１２から入力される現在時刻が午前零時を超えたか否かを判断する（ステップＳ１０１）。
【００２８】
現在時刻が午前零時を超えた場合（ステップＳ１０１：Ｙｅｓ）、表示制御部２０は、売切検出スイッチ１３がオン状態からオフ状態に切り替わったか否かを判断する（ステップＳ１０２）。
【００２９】
この判断について説明する。例えばルートマンのような商品補充者が補充予定日時を超えた後に、前扉２を開動作させてコラムに商品を補充する際、売切検出スイッチ１３は、売り切れ状態を示すオン状態になる。そして、コラムに商品を補充し終えた後、前扉２を閉動作させて本体キャビネット１の前面開口を完全に閉塞した状態で施錠すると、売切検出スイッチ１３は、売り切れ状態が解除されたことを示すオフ状態になる。従って、売切検出スイッチ１３がオン状態からオフ状態に切り替わったか否かを判断することは、コラムに商品が補充されたか否かを判断することになる。
【００３０】
売切検出スイッチ１３がオン状態からオフ状態に切り替わった場合（ステップＳ１０２：Ｙｅｓ）、表示制御部２０は、更新処理部２２を通じて表示日付の更新を行う（ステップＳ１０３）。この表示日付の更新の一例を示すと、図５に示すように、金額表示機９に表示させる日付を１２月２３日を示す「１２−２３」から翌日の１２月２４日を示す「１２−２４」に表示させて更新する。このように表示日付を更新した後、表示制御部２０は、手順をリターンして今回の処理を終了する。
【００３１】
以上説明したように、本実施の形態における自動販売機によれば、表示制御部２０が、商品の販売日付を金額表示機９に表示させるので、既存の自動販売機を改良することにより用いることができ、専用の表示機等を必要としないので、コストが増大する虞れがない。従って、コストの増大化を招来することなく、商品の販売日付を良好に表示することができる。
【００３２】
上記自動販売機によれば、表示制御部２０が、待機状態にある場合には、商品の販売日付を金額表示機９に表示させる一方、販売状態にある場合には、金額表示機９が金額情報を表示することを許容するので、日付表示と金額表示を自動的に切り替えることができる。
【００３３】
また、上記自動販売機によれば、売り切れ検出スイッチが、商品が売り切れ状態にある場合にオン状態となる一方、売り切れ状態が解除された場合にオフ状態となって、商品が売り切れ状態にあるか否かを検出し、表示制御部２０が、現在時刻が午前零時を超え、かつ売り切れ検出スイッチによる検出結果がオン状態からオフ状態に切り替わった場合に、商品の販売日付を更新して金額表示機９に表示させるので、商品の入れ替えが行われた上で商品の販売日付を更新することができる。従って、時間に応じて商品内容及び価格が異なるものに対しても良好に商品の販売日付の変更を行うことができる。
【００３４】
以上、本発明の好適な実施の形態について説明したが、本発明はこれに限定されるものではなく、種々の変更を行うことができる。
【００３５】
例えば、上述した実施の形態では、新聞を販売対象としたが、本発明では、週刊又は月刊の雑誌等を販売対象としても構わない。この場合週刊雑誌であって１２月２３日号のときには、金額表示機９に「１２−２３」と表示させ、月刊雑誌であって２００８年１月号のときには、金額表示機９に「０８−０１」と表示させることができる。
【００３６】
本発明の自動販売機は、上述した実施の形態の構成に売上集計手段を加えて構成したものであっても構わない。例えば、現在時刻が午前零時を超え、かつ売切検出スイッチ１３による検出結果がオン状態からオフ状態に切り替わった場合に、売上集計手段が１日分の売上げの集計を行っても構わない。
【００３７】
上述した実施の形態では、適用対象となる自動販売機は、現金対応のものであったが、リーダライタを備えて電子マネー対応の自動販売機を適用対象としても良い。
【００３８】
上述した実施の形態では、販売関連日付の一例として販売日である販売日付を適用していたが、本発明では、販売関連日付の他の例として販売期限の日付や販売可能日時等を表示内容として適用しても構わない。これによれば週刊誌や月刊誌等にも有効に販売関連日付を示すことが可能になる。
【産業上の利用可能性】
【００３９】
以上のように、本発明に係る自動販売機は、機内に収納された商品の例えば販売日付を表示するのに有用である。
【図面の簡単な説明】
【００４０】
【図１】本発明の実施の形態である自動販売機を示す斜視図である。
【図２】図１に示した金額表示機を示す説明図である。
【図３】図１に示した自動販売機の制御系を示すブロック図である。
【図４】図３に示した表示制御部が実施する商品の販売日付の更新処理の処理内容を示すフローチャートである。
【図５】表示日付の更新の一例を示す説明図である。
【符号の説明】
【００４１】
９      金額表示機
１２      時計部
１３      売切検出スイッチ
１４      メモリ
２０      表示制御部
２１      表示処理部
２２      更新処理部
【図１】
0004835620.tif 000002
【図２】
0004835620.tif 000003
【図３】
0004835620.tif 000004
【図４】
0004835620.tif 000005
【図５】
0004835620.tif 000006